(57)【要約】      （修正有）【課題】施工者の作業負担を軽減し、軽量化・生産コストの削減を図るハゼ式折板屋根上に太陽電池パネルを設置するための装置を提供する。【解決手段】ハゼ部を対向する両側から挟み込む第１挟み込み部材２及び第２挟み込み部材４と、挟み込み部材に太陽電池パネルを当接させた状態で押止するためのパネル押止部材１０と、挟み込み部材の側面を横方向に貫通する横貫通ボルト２６と、挟み込み部材の外側面において溶接固定される横貫通ボルト用ナット２８と、挟み込み部材及びパネル押止部材を上下方向に貫通する縦貫通ボルト３２と、縦貫通ボルト用ナット３６と、を有し、縦貫通ボルトの下端部３４が、挟み込み部材の貫通孔付近において溶接固定され、縦貫通ボルトの第２挟み込み部材貫通孔３８が横貫通ボルトの貫通方向と同じ向きに長い角丸長方形を成す。【選択図】図９
2015178743.tif 000002
【特許請求の範囲】
【請求項１】
ハゼ式折板屋根上に、１つ以上の太陽電池パネルを設置するための太陽電池パネル設置装置であって、
前記ハゼ式折板屋根が備えるハゼ部を対向する両側から挟み込み、上部において上下に重なる第１挟み込み部材及び第２挟み込み部材と、
前記第１挟み込み部材及び第２挟み込み部材の上に位置し、該第１挟み込み部材及び第２挟み込み部材のうち上に位置する方に前記太陽電池パネルを当接させた状態で押止するためのパネル押止部材と、
前記第１挟み込み部材及び第２挟み込み部材の側面を横方向に貫通する横貫通ボルトと、前記第１挟み込み部材及び前記第２挟み込み部材のいずれか一方の外側面において、前記横貫通ボルトの貫通孔に合わせるように溶接固定される横貫通ボルト用ナットと、
前記第１挟み込み部材、前記第２挟み込み部材及び前記パネル押止部材を上下方向に貫通する縦貫通ボルトと、前記パネル押止部材の上位置において前記縦貫通ボルトと組み合わせて使用する縦貫通ボルト用ナットと、を有し、
前記縦貫通ボルトの下端部が、前記第１挟み込み部材及び第２挟み込み部材のうち下に位置する方と、該下に位置する方の前記縦貫通ボルトの貫通孔付近において溶接固定され、
前記第１挟み込み部材及び第２挟み込み部材のうち上に位置する方の前記縦貫通ボルトの貫通孔が、前記横貫通ボルトの貫通方向と同じ向きに長い角丸長方形を成し、前記第１挟み込み部材及び第２挟み込み部材の下部に形成される開口部が、前記縦貫通ボルトの貫通孔付近を支点に開閉自在であり、
前記横貫通ボルト及び前記縦貫通ボルト用ナットを締め付けることによって、前記ハゼ部を挟み込んだ状態で、前記開口部が閉じられると共に、前記太陽電池パネルが前記パネル押止部材に押止され、前記ハゼ式折板屋根上に固定されることを特徴とする太陽電池パネル設置装置。
【請求項２】
前記パネル押止部材が、前記太陽電池パネルを敷設する領域の端部において１つの前記太陽電池パネルを押止する片側押止部材と、前記太陽電池パネルを敷設する領域の内部において左右両側に２つの前記太陽電池パネルを押止する前記両側押止部材と、を含むことを特徴とする請求項１に記載の太陽電池パネル設置装置。
【請求項３】
前記片側押止部材が、前記太陽電池パネルを上から押さえる第一部位、及び該第一部位より低い位置にあり前記片側押止部材を前記第１挟み込み部材及び第２挟み込み部材にボルト止めする第二部位から成る二段の階段形状であり、
前記両側押止部材が、前記縦貫通ボルトを中心に前後対称に配置され、前記太陽電池パネルを上から押さえる第三部位、及び該第三部位より低い位置にあり前記両側押止部材を前記第１挟み込み部材及び第２挟み込み部材にボルト止めする第四部位から成る二段の階段溝型形状であることを特徴とする請求項２に記載の太陽電池パネル設置装置。
【請求項４】
前記片側押止部材の第一部位下面及び前記両側押止部材の第三部位下面には、前記太陽電池パネル表面の塗装を突き抜け、該太陽電池パネルのアルミ素地と接続される突起部が備わることを特徴とする請求項１乃至３の何れか一に記載の太陽電池パネル設置装置。
【請求項５】
第１挟み込み部材及び第２挟み込み部材の側面が、上下方向の引張強度を増すために、中央が窪んだ溝型形状を成すことを特徴とする請求項１乃至４の何れか一に記載の太陽電池パネル設置装置。
【請求項６】
前記第１挟み込み部材、第２挟み込み部材及びパネル押止部材を前記横貫通ボルト及び前記縦貫通ボルトで連結させ、前記横貫通ボルト及び前記縦貫通ボルト用ナットの締まり具合を緩くした状態で、前記ハゼ式折板屋根上へ前記太陽電パネルを設置する作業を開始することを特徴とする請求項１乃至５の何れか一に記載の太陽電池パネル設置装置。
【請求項７】
前記太陽電池パネルが備えるケーブル類を前記ハゼ式折板屋根から離した状態で拘持するために、前記第１挟み込み部材及び第２挟み込み部材が、前記ケーブル類を束ねた結束バンドを通し、該結束バンドを括り付ける結束バンド用孔を有することを特徴とする請求項１乃至６の何れか一に記載の太陽電池パネル設置装置。
【発明の詳細な説明】
【技術分野】
【０００１】
ハゼ式折板屋根上に太陽電池パネルを設置するための装置の技術に関する。
【背景技術】
【０００２】
近年、建物の屋上に太陽電池パネルを敷設し、当該太陽電池パネルが発電した電力を設置の建物で使用したり外部（電力会社など）に売電したりする取り組みが盛んに行われている。
【０００３】
そのような環境下、太陽電池パネルそのものの技術開発は勿論のことであるが、太陽電池パネルを建物の屋上に設置するための装置についても盛んに技術開発が行われ、様々な提案がなされている。
【０００４】
その中でも、工場・カーポート・車庫などの鉄骨の建物に多く使用される金属屋根である折板屋根については、形状が独特であり物件数も多いため、太陽電池パネルを敷設するための装置の技術開発が盛んに行われているという現状が有る。例えば、特許文献１乃至４では、ハゼ式折板屋根上に太陽電池パネルを敷設するものであって、屋根上のハゼ部を挟んで位置を固定する技術に関する提案がなされている。
【先行技術文献】
【特許文献】
【０００５】
【特許文献１】特開２０１３−１７７７７８号公報
【特許文献２】実用新案登録第３１７９０１２号公報
【特許文献３】特開２０１２−１６７４９８号公報
【特許文献４】実用新案登録第３１６４０２０号公報
【特許文献５】特開２００３−９６９８６号公報
【発明の概要】
【発明が解決しようとする課題】
【０００６】
しかしながら、特許文献１においては、ハゼ部挟み込み部位を開閉させる支点となるヒンジ部や横方向に貫通するボルトと組み合わせるナットの回転を規制する溝部等細かい加工が必要であることから装置構造が複雑となり、生産コストが大きいという問題点がある。
また、特許文献２においては、ハゼ部挟み込み部位の開閉動作が自在ではなく、太陽電池パネル設置時の操作性が悪いという問題点がある。
また、特許文献３及び４においては、部品点数が多く、装置構成の簡素化、軽量化、生産コストの削減が図り難いという問題点がある。
【０００７】
また、特許文献５においては、横向きボルトと共に使用するナットが動くため、締め付け時の操作性が悪く、また、縦ボルトの可動域が狭いことから、両側挟み込み部材の可動域も狭く、ハゼ部乗り越え時の操作性が悪いという問題点がある。また、特許文献５においては、縦ボルト下端部がハゼ部挟み込み部材の上面に固定されていることから、重量の大きい太陽電池パネルを設置するという目的を考慮すると、強度の面から問題がある。
【０００８】
そこで本発明では、上記従来技術の問題点に鑑み、装置構成を簡素化することにより施行者の作業負担を軽減し、軽量化・生産コストの削減を図ると共に、仕様が異なる場合でも太陽電池パネルには加工を加えずに、容易に適用することができる汎用性の高い太陽電池パネル設置装置を提案することを目的とする。
【課題を解決するための手段】
【０００９】
開示する太陽電池パネル設置装置の一形態は、ハゼ式折板屋根上に、１つ以上の太陽電池パネルを設置するための太陽電池パネル設置装置であって、前記ハゼ式折板屋根が備えるハゼ部を対向する両側から挟み込み、上部において上下に重なる第１挟み込み部材及び第２挟み込み部材と、前記第１挟み込み部材及び第２挟み込み部材の上に位置し、該第１挟み込み部材及び第２挟み込み部材のうち上に位置する方に前記太陽電池パネルを当接させた状態で押止するためのパネル押止部材と、前記第１挟み込み部材及び第２挟み込み部材の側面を横方向に貫通する横貫通ボルトと、前記第１挟み込み部材及び前記第２挟み込み部材のいずれか一方の外側面において、前記横貫通ボルトの貫通孔に合わせるように溶接固定される横貫通ボルト用ナットと、前記第１挟み込み部材、前記第２挟み込み部材及び前記パネル押止部材を上下方向に貫通する縦貫通ボルトと、前記パネル押止部材の上位置において前記縦貫通ボルトと組み合わせて使用する縦貫通ボルト用ナットと、を有し、前記縦貫通ボルトの下端部が、前記第１挟み込み部材及び第２挟み込み部材のうち下に位置する方と、該下に位置する方の前記縦貫通ボルトの貫通孔付近において溶接固定され、前記第１挟み込み部材及び第２挟み込み部材のうち上に位置する方の前記縦貫通ボルトの貫通孔が、前記横貫通ボルトの貫通方向と同じ向きに長い角丸長方形を成し、前記第１挟み込み部材及び第２挟み込み部材の下部に形成される開口部が、前記縦貫通ボルトの貫通孔付近を支点に開閉自在であり、前記横貫通ボルト及び前記縦貫通ボルト用ナットを締め付けることによって、前記ハゼ部を挟み込んだ状態で、前記開口部が閉じられると共に、前記太陽電池パネルが前記パネル押止部材に押止され、前記ハゼ式折板屋根上に固定されることを特徴とする。
【００１０】
さらに、開示する太陽電池パネル設置装置の一形態は、上記構成に加え、前記パネル押止部材が、前記太陽電池パネルを敷設する領域の端部において１つの前記太陽電池パネルを押止する片側押止部材と、前記太陽電池パネルを敷設する領域の内部において左右両側に２つの前記太陽電池パネルを押止する前記両側押止部材と、を含むことを特徴とする。
【００１１】
さらに、開示する太陽電池パネル設置装置の一形態は、上記構成に加え、前記片側押止部材が、前記太陽電池パネルを上から押さえる第一部位、及び該第一部位より低い位置にあり前記片側押止部材を前記第１挟み込み部材及び第２挟み込み部材にボルト止めする第二部位から成る二段の階段形状であり、前記両側押止部材が、前記縦貫通ボルトを中心に前後対称に配置され、前記太陽電池パネルを上から押さえる第三部位、及び該第三部位より低い位置にあり前記両側押止部材を前記第１挟み込み部材及び第２挟み込み部材にボルト止めする第四部位から成る二段の階段溝型形状であることを特徴とする。
【００１２】
さらに、開示する太陽電池パネル設置装置の一形態は、上記構成に加え、前記片側押止部材の第一部位下面及び前記両側押止部材の第三部位下面には、前記太陽電池パネル表面の塗装を突き抜け、該太陽電池パネルのアルミ素地と接続される突起部が備わることを特徴とする。
【００１３】
さらに、開示する太陽電池パネル設置装置の一形態は、上記構成に加え、第１挟み込み部材及び第２挟み込み部材の側面が、上下方向の引張強度を増すために、中央が窪んだ溝型形状を成すことを特徴とする。
【００１４】
さらに、開示する太陽電池パネル設置装置の一形態は、上記構成に加え、前記第１挟み込み部材、第２挟み込み部材及びパネル押止部材を前記横貫通ボルト及び前記縦貫通ボルトで連結させ、前記横貫通ボルト及び前記縦貫通ボルト用ナットの締まり具合を緩くした状態で、前記ハゼ式折板屋根上へ前記太陽電パネルを設置する作業を開始することを特徴とする。
【００１５】
さらに、開示する太陽電池パネル設置装置の一形態は、上記構成に加え、前記太陽電池パネルが備えるケーブル類を前記ハゼ式折板屋根から離した状態で拘持するために、前記第１挟み込み部材及び第２挟み込み部材が、前記ケーブル類を束ねた結束バンドを通し、該結束バンドを括り付ける結束バンド用孔を有することを特徴とする。
【発明の効果】
【００１６】
開示する太陽電池パネル設置装置は、装置構成を簡素化することにより施行者の作業負担を軽減し、軽量化・生産コストの削減を図ると共に、仕様が異なる場合でも太陽電池パネルには加工を加えずに、容易に適用することができる。
【図面の簡単な説明】
【００１７】
【図１】本実施の形態に係る太陽電池パネル設置装置による太陽電池パネルの設置例を示す図である。
【図２】本実施の形態に係る太陽電池パネル設置装置の使用方法を説明する図である。
【図３】本実施の形態に係る太陽電池パネル設置装置（片側押止部材装着時）の斜視図である。
【図４】本実施の形態に係る太陽電池パネル設置装置（両側押止部材装着時）の斜視図である。
【図５】本実施の形態に係る第１挟み込み部材の斜視図である。
【図６】本実施の形態に係る第２挟み込み部材の斜視図である。
【図７】本実施の形態に係るパネル押止部材（片側押止部材）の斜視図である。
【図８】本実施の形態に係るパネル押止部材（両側押止部材）の斜視図である。
【図９】本実施の形態に係る太陽電池パネル設置装置の断面図である。
【図１０】本実施の形態に係る太陽電池パネル設置装置（片側押止部材装着時）による太陽電池パネルの固定態様を示す図である。
【図１１】本実施の形態に係る太陽電池パネル設置装置（両側押止部材装着時）による太陽電池パネルの固定態様を示す図である。
【発明を実施するための形態】
【００１８】
図面を参照しながら、本発明を実施するための形態について説明する。
（本実施の形態に係る太陽電池パネル設置装置の構造）
図１乃至８を用いて、本実施の形態に掛かる太陽電池パネル設置装置（以下、単に「設置装置」という。）１の構造について説明する。
【００１９】
設置装置１は、折板本体の接合部分に「ハゼ（馳）」と呼ばれる加工を施し、タイトフレームと折板本体を「吊子」と呼ばれる金具で固定する工法を採用するハゼ式折板屋根（以下、単に「屋根」という。）４２を施工対象としている。つまり、図１で示すように、設置装置１は、屋根４２の上に、１つ以上の太陽電池パネル（以下、単に「パネル」という。）４６を敷設する場合に、屋根４２の上にパネル４６を固定的に設置するための装置である。
【００２０】
図２で示すように、設置装置１は、屋根４２上におけるハゼ加工がなされた部位であるハゼ部４４を挟み込むことによって屋根４２上に下部が固定されると共に、上部においてパネル４６を掴持することによって固定するため、パネル４６は屋根４２上に固定される。
【００２１】
また、設置装置１が敷設するパネル４６は、製造元が多数存在し、一つの製造元内でも様々な種類・仕様のものが存在するが、設置装置１は、パネル４６の種類・仕様を問わず、パネル４６に何らの加工を加えなくても、屋根４２上への敷設が可能である。
【００２２】
図３は、パネル４６を敷設する屋根４２上の領域の端部において、１つのパネル４６を固定するときに使用する設置装置１の斜視図である。図４は、パネル４６を敷設する屋根４２上の領域の内部において、左右両側に２つのパネル４６を固定するときに使用する設置装置１の斜視図である。図３及び４で示すように、設置装置１は、パネル４６の敷設領域の端部で使用するときと、パネル４６の敷設領域の内部で使用するときとで、その態様、つまり、パネル４６を上から押さえ付ける部材の態様が異なる。
【００２３】
図３及び４で示すように、設置装置１は、第１挟み込み部材２、第２挟み込み部材４、パネル押止部材１０、横貫通ボルト２６、横貫通ボルト用ナット２８、縦貫通ボルト３２、縦貫通ボルト用ナット３６を有する。
【００２４】
第１挟み込み部材２及び第２挟み込み部材４は、屋根４２が備えるハゼ部４４を両側から挟み込んだ状態を維持することにより、設置装置１を屋根４２上に固定する機能を発揮する。第１挟み込み部材２及び第２挟み込み部材４は、下部から中央部においては対向して配置されるが、上部においては一方が他方の上に重なり合うように配置される。本実施の形態においては、第１挟み込み部材２が下位置、第２挟み込み部材４が上位置に配置されるが、第１挟み込み部材２及び第２挟み込み部材４は何れが上方に配置される形態でも良い。
【００２５】
図５は、第１挟み込み部材２の斜視図である。図５で示すように、第１挟み込み部材２は、側面に横貫通ボルト２６の貫通孔３０を備え、上部に縦貫通ボルト３２の貫通孔３８を備える。
【００２６】
図６は、第２挟み込み部材４の斜視図である。図６で示すように、第２挟み込み部材４は、側面に横貫通ボルト２６の貫通孔３０を備え、上部に縦貫通ボルト３２の貫通孔３８を備える。第２挟み込み部材４が備える貫通孔３８は、横貫通ボルト３２が貫通する方向に長い角丸長方形の形状を成す。具体的には、第２挟み込み部材４が備える貫通孔３８は、横貫通ボルト３２が貫通する方向にのみ、縦貫通ボルト３２が移動可能な大きさの（ボルト３２の直径に対し大き目の）角丸長方形の形状を成す。第２挟み込み部材４の備える貫通孔３８がこのような形状をしていることによって、縦貫通ボルト３２の可動領域が大きくなっている。なお、挟み込み部材２、４のうち上に配置される方の備える貫通孔３８が、横貫通ボルト３２が貫通する方向に長い角丸長方形の形状を成すことになる。
【００２７】
図５及び６で示すように、第１挟み込み部材２及び第２挟み込み部材４は、側面中央付近が窪んだ、上下方向に通る溝型形状を成している。第１挟み込み部材２及び第２挟み込み部材４がこのような形状を成すことによって、設置装置１の上下方向の引張強度を増強することができ、設置装置１は、大きな引張強度性能を求められる建物の屋根上においても使用することができる。なお、第１挟み込み部材２及び第２挟み込み部材４の側面は、側面中央付近を窪ませる代わりに、段差を形成している部位に２本のリブを備える形状としても良い。
【００２８】
ここで、パネル４６にはケーブル類が付属しており、金属を材料とする屋根４２の腐食を防ぐため、ケーブル類を屋根４２に着かないように離した状態を保つ必要がある。図５及び６で示すように、第１挟み込み部材２及び第２挟み込み部材４はそれぞれ、結束バンド用孔４０を備えている。結束バンド用孔４０は、パネル４６が備えるケーブル類を屋根４２から離した状態で拘持するために、ケーブル類を束ねた結束バンドを通し、結束バンドを括り付けるための孔である。
【００２９】
図３及び４で示すように、パネル押止部材１０は、第１挟み込み部材２及び第２挟み込み部材４の上位置に配置され、パネル４６を第１挟み込み部材２及び第２挟み込み部材４の上へ押さえ付けて固定する部材である。また、パネル押止部材１０は、片側押止部材１２、両側押止部材１４を有する。
【００３０】
片側押止部材１２は、パネル４６を敷設する屋根４２上の領域端部において、１つのパネル４６を固定するときに使用する部材である。図３及び７で示すように、片側押止部材１２は、第一部位１６、第一部位１６より低い位置に設けられる第二部位１８を有し、二段の階段形状を成す。第一部位１６は、パネル４６を上から押さえ付ける役割を果たす部位である。第二部位１８は、第１挟み込み部材２及び第２挟み込み部材４を縦貫通ボルト３２によってボルト止めするための部位であり、縦貫通ボルト３２の貫通孔３８を備える。
【００３１】
両側押止部材１４は、パネル４６を敷設する屋根４２上の領域内部において、左右両側に２つのパネル４６を固定するときに使用する部材である。図４及び８で示すように、両側押止部材１４は、第三部位２０、第三部位２０より低い位置に設けられる第四部位２２を有し、二段の階段溝型形状を成す。第三部位２０は、左右（前後）対称に配置され、パネル４６を上から押さえ付ける役割を果たす部位である。第四部位２２は、第１挟み込み部材２及び第２挟み込み部材４を縦貫通ボルト３２によってボルト止めするための部位であり、縦貫通ボルト３２の貫通孔３８を備える。
【００３２】
図７及び８等で示すように、片側押止部材１２の第一部位１６及び両側押止部材１４の第三部位２０の下面（パネル４６と当接する部位）には、突起部２４が備えられる。突起部２４は、設置装置１の設置時、パネル４６の当接部位に施された塗装面を突き抜け、塗装面の下に位置するアルミ素地と接続される。設置装置１は金属で構成されるため、設置装置１をアース接続した場合、設置装置１を介してパネル４６をアース接続することができる。
【００３３】
図３及び４で示すように、横貫通ボルト２６は、第１挟み込み部材２及び第２挟み込み部材４の側面を横方向（水平方向）に貫通するボルトである。横貫通ボルト用ナット２８は、横貫通ボルト２６と組み合わせて使用するナットである。横貫通ボルト用ナット２８は、第１挟み込み部材２及び第２挟み込み部材４の何れか一方の外側面であって、横貫通ボルト２６が貫通する孔３０に孔位置を合わせて溶接固定される。本実施の形態においては、第２挟み込み部材４の外側面に横貫通ボルト用ナット２８が溶接固定されている。こうすることによって、横貫通ボルト２６の締め付け時に、横貫通ボルト用ナット２８が動かず、締め付け動作が容易となり、作業者の作業効率を向上させることができる。
【００３４】
図３及び４で示すように、縦貫通ボルト３２は、第１挟み込み部材２、第２挟み込み部材４及びパネル押止部材１０を上下方向（垂直方向）に貫通するボルトである。また、縦貫通ボルト３２は、下端部（頭部）３４が、第１挟み込み部材２及び第２挟み込み部材４のうち下に位置する方の貫通孔３８付近に溶接固定される。具体的には、縦貫通ボルト３２の下端部３４は、フランジを備え、当該フランジが貫通孔３８付近に溶接固定される。縦貫通ボルト用ナット３６は、縦貫通ボルト３２と組み合わせて使用するナットである。縦貫通ボルト用ナット３６は、パネル押止部材１０の上方から締め付ける。このような構成を採用することによって、パネル４６の設置作業時に、縦貫通ボルト３２が下に抜け落ちたり（落下防止）、縦貫通ボルト用ナット３６の締め付け時に縦貫通ボルト３２が空回りしたりせず（締付作業の容易性向上）、作業者の作業効率を向上させることができる。また、縦貫通ボルト３２が第１挟み込み部材２を貫通した上で下面に溶接固定されているため、縦貫通ボルト３２に関しては上下左右何れの方向にも高い強度を備える。
（本実施の形態に係る太陽電池パネル設置装置の使用方法）
【００３５】
図２乃至１１を用いて、設置装置１の使用方法（動作）を説明する。図９は、設置装置１の断面図である。はじめに、屋根４２上へパネル４６を設置する作業を開始する前、つまり、設置装置１の初期状態（工場出荷時の状態）について説明する。図９で示すように、横貫通ボルト２６は、第１挟み込み部材２及び第２挟み込み部材４に貫通させ、横貫通ボルト用ナット２８に捻じ込まれた状態とする。横貫通ボルト２６は、横貫通ボルト用ナット２８に最後まで締め込まれず、横貫通ボルト２６の締まり具合は緩い状態である。
【００３６】
また、図９で示すように、縦貫通ボルト３２は、第１挟み込み部材２、第２挟み込み部材４及びパネル押止部材１０に貫通させ、縦貫通ボルト用ナット３６は、縦貫通ボルト３２に捻じ込んだ状態とする。縦貫通ボルト用ナット３６は、縦貫通ボルト３２に最後（最奥）まで締め込まれず、縦貫通ボルト用ナット３６の締まり具合は緩い状態である。
【００３７】
次に、屋根４２上のハゼ部４４へ設置装置１を固定する工程について説明する。図９で示すように、横貫通ボルト２６及び縦貫通ボルト用ナット３６の締まり具合が緩いので、第１挟み込み部材２及び第２挟み込み部材４を動かし、これら部材の下部が形成する開口部６を出来るだけ広い状態とする。このとき、挟み込み部材２、４のうち上に位置する方（本実施形態では第２挟み込み部材４）の備える貫通孔３８が横貫通ボルト２６の貫通方向に長い角丸長方形形状を成しているため、縦貫通ボルト３２（挟み込み部材２、４）の可動域が大きく、開口部６を大きく開くことができる。
【００３８】
次は、図２右側で示すように、大きく開いた開口部６を屋根４２のハゼ部４４上方へ配置し、開口部６にハゼ部４４を跨がせる。そして、図２左側で示すように、横貫通ボルト２６を横貫通ボルト用ナット２８へ締め込むことにより開口部６を閉じ、第１挟み込み部２及び第２挟み込み部４でハゼ部４４を両側から挟み込む。こうすることによって、設置装置１は、横貫通ボルト用ナット２８の落下、空転などを気にすることなく、横貫通ボルト２６を締め込む操作だけで屋根４２上へ固定される。
【００３９】
次に、図１０及び１１を用いて、設置装置１へパネル４６を固定する工程について説明する。図１０は、片側押止部材１２を使用したパネル４６の固定態様を示し、図１１は、両側押止部材１４を使用したパネル４６の固定態様を示した図である。
【００４０】
図１０で示すように、パネル４６の敷設領域の端部において、１つのパネル４６を固定する場合、挟み込み部材２、４のうち上に位置する方（本実施形態では第２挟み込み部材４）の上にパネル４６を載置させる。そして、パネル４６上面に上方から片側押止部材１２の第一部位１６を当接させ、縦貫通ボルト用ナット３６を縦貫通ボルト３２へ締め込み、パネル４６を第２挟み込み部材４及び片側押止部材１２の第一部位１６で挟み込むことによって、パネル４６を設置装置１上に固定し、結果としてパネル４６を屋根４２上へ固定する。このとき、縦貫通ボルト３２の下端部３４が第１挟み込み部材２を貫通した上で下面に溶接固定されているため、パネル４６の固定作業は全て上側から行うことができ、作業者の作業効率が高い。つまり、設置装置１は、縦貫通ボルト３２の落下、空転などを気にすることなく、縦貫通ボルト用ナット３６を締め込む操作だけで、パネル４６を設置装置１（屋根４２）上に固定することができる。
【００４１】
一方、図１１で示すように、パネル４６の敷設領域の内部において、左右両側で２つのパネル４６を固定する場合、挟み込み部材２、４のうち上に位置する方（本実施形態では第２挟み込み部材４）の上に左右両側にパネル４６を載置させる。そして、パネル４６上面に上方から両側押止部材１４の第三部位２０を当接させ、縦貫通ボルト用ナット３６を縦貫通ボルト３２へ締め込み、パネル４６を第２挟み込み部材４及び両側押止部材１４の第三部位２０で挟み込むことによって、パネル４６を設置装置１上に固定し、結果としてパネル４６を屋根４２上へ固定する。このときも、縦貫通ボルト３２の下端部３４が第１挟み込み部材２を貫通した上で下面に溶接固定されているため、パネル４６の固定作業は全て上側から行うことができ、作業者の作業効率が高い。
【００４２】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００４３】
１    太陽電池パネル設置装置
２    第１挟み込み部材
４    第２挟み込み部材
６    第１挟み込み部材及び第２挟み込み部材が形成する開口部
８    側面の溝型形状
１０  パネル押止部材
１２  片側押止部材
１４  両側押止部材
１６  片側押止部材の第一部位
１８  片側押止部材の第二部位
２０  両側押止部材の第三部位
２２  両側押止部材の第四部位
２４  突起部
２６  横貫通ボルト
２８  横貫通ボルト用ナット
３０  横貫通ボルトの貫通孔
３２  縦貫通ボルト
３４  縦貫通ボルトの下端部
３６  縦貫通ボルト用ナット
３８  縦貫通ボルトの貫通孔
４０  結束バンド用孔
４２  ハゼ式折板屋根
４４  ハゼ部
４６  太陽電池パネル
【図１】
2015178743.tif 000003
【図２】
2015178743.tif 000004
【図３】
2015178743.tif 000005
【図４】
2015178743.tif 000006
【図５】
2015178743.tif 000007
【図６】
2015178743.tif 000008
【図７】
2015178743.tif 000009
【図８】
2015178743.tif 000010
【図９】
2015178743.tif 000011
【図１０】
2015178743.tif 000012
【図１１】
2015178743.tif 000013
【手続補正書】
【提出日】平成26年7月8日(2014.7.8)
【手続補正１】
【補正対象書類名】特許請求の範囲
【補正対象項目名】全文
【補正方法】変更
【補正の内容】
【特許請求の範囲】
【請求項１】
ハゼ式折板屋根上に、１つ以上の太陽電池パネルを設置するための太陽電池パネル設置装置であって、
前記ハゼ式折板屋根が備えるハゼ部を対向する両側から挟み込み、上部において上下に重なる第１挟み込み部材及び第２挟み込み部材と、
前記第１挟み込み部材及び第２挟み込み部材の上に位置し、該第１挟み込み部材及び第２挟み込み部材のうち上に位置する方に前記太陽電池パネルを当接させた状態で押止するためのパネル押止部材と、
前記第１挟み込み部材及び第２挟み込み部材の側面を横方向に貫通する横貫通ボルトと、前記第１挟み込み部材及び前記第２挟み込み部材のいずれか一方の外側面において、前記横貫通ボルトの貫通孔に合わせるように溶接固定される横貫通ボルト用ナットと、
前記第１挟み込み部材、前記第２挟み込み部材及び前記パネル押止部材を上下方向に貫通する縦貫通ボルトと、前記パネル押止部材の上位置において前記縦貫通ボルトと組み合わせて使用する縦貫通ボルト用ナットと、を有し、
前記縦貫通ボルトの下端部が、前記第１挟み込み部材及び第２挟み込み部材のうち下に位置する方と、該下に位置する方の前記縦貫通ボルトの貫通孔付近において溶接固定され、
前記第１挟み込み部材及び第２挟み込み部材のうち上に位置する方の前記縦貫通ボルトの貫通孔が、前記横貫通ボルトの貫通方向と同じ向きに長い角丸長方形を成し、前記第１挟み込み部材及び第２挟み込み部材の下部に形成される開口部が、前記縦貫通ボルトの貫通孔付近を支点に開閉自在であり、
前記横貫通ボルト及び前記縦貫通ボルト用ナットを締め付けることによって、前記ハゼ部を挟み込んだ状態で、前記開口部が閉じられると共に、前記太陽電池パネルが前記パネル押止部材に押止され、前記ハゼ式折板屋根上に固定され、
前記開口部を前記縦貫通ボルトの貫通孔付近を支点に開状態とし前記開口部に前記ハゼ部を跨がせるとき、前記横貫通ボルトの先端が前記横貫通ボルト用ナットに捻じ込まれ、前記第１挟み込み部材及び第２挟み込み部材のうち前記横貫通ボルト用ナットが固定されている方と前記横貫通ボルトとのなす角度は不変であるが、前記第１挟み込み部材及び第２挟み込み部材のうち前記横貫通ボルト用ナットが固定されていない方と前記横貫通ボルトとのなす角度は可変である状態、かつ、前記第１挟み込み部材及び第２挟み込み部材のうち前記縦貫通ボルトが固定されていない方が前記縦貫通ボルトに対し傾けられる状態、かつ、前記開口部を形成する前記第１挟み込み部材２下部及び前記第２挟み込み部材下部それぞれの高さが異なる状態とすることができる程度に、前記第１挟み込み部材及び第２挟み込み部材のうち前記横貫通ボルト用ナットが固定されていない方の前記貫通孔の直径が前記横貫通ボルトの直径よりも大きく形成されていることを特徴とする太陽電池パネル設置装置。
【請求項２】
前記パネル押止部材が、前記太陽電池パネルを敷設する領域の端部において１つの前記太陽電池パネルを押止する片側押止部材と、前記太陽電池パネルを敷設する領域の内部において左右両側に２つの前記太陽電池パネルを押止する両側押止部材と、を含むことを特徴とする請求項１に記載の太陽電池パネル設置装置。
【請求項３】
前記片側押止部材が、前記太陽電池パネルを上から押さえる第一部位、及び該第一部位より低い位置にあり前記片側押止部材を前記第１挟み込み部材及び第２挟み込み部材にボルト止めする第二部位から成る二段の階段形状であり、
前記両側押止部材が、前記縦貫通ボルトを中心に前後対称に配置され、前記太陽電池パネルを上から押さえる第三部位、及び該第三部位より低い位置にあり前記両側押止部材を前記第１挟み込み部材及び第２挟み込み部材にボルト止めする第四部位から成る二段の階段溝型形状であることを特徴とする請求項２に記載の太陽電池パネル設置装置。
【請求項４】
前記片側押止部材の第一部位下面及び前記両側押止部材の第三部位下面には、前記太陽電池パネル表面の塗装を突き抜け、該太陽電池パネルのアルミ素地と接続される突起部が備わることを特徴とする請求項１乃至３の何れか一に記載の太陽電池パネル設置装置。
【請求項５】
第１挟み込み部材及び第２挟み込み部材の側面が、上下方向の引張強度を増すために、中央が窪んだ溝型形状を成すことを特徴とする請求項１乃至４の何れか一に記載の太陽電池パネル設置装置。
【請求項６】
前記第１挟み込み部材、第２挟み込み部材及びパネル押止部材を前記横貫通ボルト及び前記縦貫通ボルトで連結させ、前記横貫通ボルト及び前記縦貫通ボルト用ナットの締まり具合を緩くした状態で、前記ハゼ式折板屋根上へ前記太陽電パネルを設置する作業を開始することを特徴とする請求項１乃至５の何れか一に記載の太陽電池パネル設置装置。
【請求項７】
前記太陽電池パネルが備えるケーブル類を前記ハゼ式折板屋根から離した状態で拘持するために、前記第１挟み込み部材及び第２挟み込み部材が、前記ケーブル類を束ねた結束バンドを通し、該結束バンドを括り付ける結束バンド用孔を有することを特徴とする請求項１乃至６の何れか一に記載の太陽電池パネル設置装置。
【手続補正書】
【提出日】平成26年10月12日(2014.10.12)
【手続補正１】
【補正対象書類名】特許請求の範囲
【補正対象項目名】全文
【補正方法】変更
【補正の内容】
【特許請求の範囲】
【請求項１】
ハゼ式折板屋根上に、１つ以上の太陽電池パネルを設置するための太陽電池パネル設置装置であって、
前記ハゼ式折板屋根が備えるハゼ部を対向する両側から挟み込み、上部において上下に重なる第１挟み込み部材及び第２挟み込み部材と、
前記第１挟み込み部材及び第２挟み込み部材の上に位置し、該第１挟み込み部材及び第２挟み込み部材のうち上に位置する方に前記太陽電池パネルを当接させた状態で押止するためのパネル押止部材と、
前記第１挟み込み部材及び第２挟み込み部材の側面を横方向に貫通する横貫通ボルトと、前記第１挟み込み部材及び前記第２挟み込み部材のいずれか一方の外側面において、前記横貫通ボルトの貫通孔に合わせるように溶接固定される横貫通ボルト用ナットと、
前記第１挟み込み部材、前記第２挟み込み部材及び前記パネル押止部材を上下方向に貫通する縦貫通ボルトと、前記パネル押止部材の上位置において前記縦貫通ボルトと組み合わせて使用する縦貫通ボルト用ナットと、を有し、
前記縦貫通ボルトの下端部が、前記第１挟み込み部材及び第２挟み込み部材のうち下に位置する方と、該下に位置する方の前記縦貫通ボルトの貫通孔付近において溶接固定され、
前記第１挟み込み部材及び第２挟み込み部材のうち上に位置する方の前記縦貫通ボルトの貫通孔が、前記横貫通ボルトの貫通方向と同じ向きに長い角丸長方形を成し、前記第１挟み込み部材及び第２挟み込み部材の下部に形成される開口部が、前記縦貫通ボルトの貫通孔付近を支点に開閉自在であり、
前記横貫通ボルト及び前記縦貫通ボルト用ナットを締め付けることによって、前記ハゼ部を挟み込んだ状態で、前記開口部が閉じられると共に、前記太陽電池パネルが前記パネル押止部材に押止され、前記ハゼ式折板屋根上に固定され、
前記開口部を前記縦貫通ボルトの貫通孔付近を支点に開状態とし前記開口部に前記ハゼ部を跨がせるとき、前記横貫通ボルトの先端が前記横貫通ボルト用ナットに捻じ込まれた状態であって、前記第１挟み込み部材及び第２挟み込み部材のうち前記横貫通ボルト用ナットが固定されている方と前記横貫通ボルトとのなす角度は不変であるが、前記第１挟み込み部材及び第２挟み込み部材のうち前記横貫通ボルト用ナットが固定されていない方と前記横貫通ボルトとのなす角度は可変である状態、かつ、前記第１挟み込み部材及び第２挟み込み部材のうち前記縦貫通ボルトが固定されていない方が前記縦貫通ボルトに対し傾けられる状態、かつ、前記開口部を形成する前記第１挟み込み部材下部及び前記第２挟み込み部材下部それぞれの高さが異なる状態とすることができる程度に、前記第１挟み込み部材及び第２挟み込み部材のうち前記横貫通ボルト用ナットが固定されていない方の前記貫通孔の直径が前記横貫通ボルトの直径よりも大きく形成されていることを特徴とする太陽電池パネル設置装置。
【請求項２】
前記パネル押止部材が、前記太陽電池パネルを敷設する領域の端部において１つの前記太陽電池パネルを押止する片側押止部材と、前記太陽電池パネルを敷設する領域の内部において左右両側に２つの前記太陽電池パネルを押止する両側押止部材と、を含むことを特徴とする請求項１に記載の太陽電池パネル設置装置。
【請求項３】
前記片側押止部材が、前記太陽電池パネルを上から押さえる第一部位、及び該第一部位より低い位置にあり前記片側押止部材を前記第１挟み込み部材及び第２挟み込み部材にボルト止めする第二部位から成る二段の階段形状であり、
前記両側押止部材が、前記縦貫通ボルトを中心に前後対称に配置され、前記太陽電池パネルを上から押さえる第三部位、及び該第三部位より低い位置にあり前記両側押止部材を前記第１挟み込み部材及び第２挟み込み部材にボルト止めする第四部位から成る二段の階段溝型形状であることを特徴とする請求項２に記載の太陽電池パネル設置装置。
【請求項４】
前記片側押止部材の第一部位下面及び前記両側押止部材の第三部位下面には、前記太陽電池パネル表面の塗装を突き抜け、該太陽電池パネルのアルミ素地と接続される突起部が備わることを特徴とする請求項１乃至３の何れか一に記載の太陽電池パネル設置装置。
【請求項５】
第１挟み込み部材及び第２挟み込み部材の側面が、上下方向の引張強度を増すために、中央が窪んだ溝型形状を成すことを特徴とする請求項１乃至４の何れか一に記載の太陽電池パネル設置装置。
【請求項６】
前記第１挟み込み部材、第２挟み込み部材及びパネル押止部材を前記横貫通ボルト及び前記縦貫通ボルトで連結させ、前記横貫通ボルト及び前記縦貫通ボルト用ナットの締まり具合を緩くした状態で、前記ハゼ式折板屋根上へ前記太陽電パネルを設置する作業を開始することを特徴とする請求項１乃至５の何れか一に記載の太陽電池パネル設置装置。
【請求項７】
前記太陽電池パネルが備えるケーブル類を前記ハゼ式折板屋根から離した状態で拘持するために、前記第１挟み込み部材及び第２挟み込み部材が、前記ケーブル類を束ねた結束バンドを通し、該結束バンドを括り付ける結束バンド用孔を有することを特徴とする請求項１乃至６の何れか一に記載の太陽電池パネル設置装置。
【手続補正２】
【補正対象書類名】明細書
【補正対象項目名】０００９
【補正方法】変更
【補正の内容】
【０００９】
開示する太陽電池パネル設置装置の一形態は、ハゼ式折板屋根上に、１つ以上の太陽電池パネルを設置するための太陽電池パネル設置装置であって、前記ハゼ式折板屋根が備えるハゼ部を対向する両側から挟み込み、上部において上下に重なる第１挟み込み部材及び第２挟み込み部材と、前記第１挟み込み部材及び第２挟み込み部材の上に位置し、該第１挟み込み部材及び第２挟み込み部材のうち上に位置する方に前記太陽電池パネルを当接させた状態で押止するためのパネル押止部材と、前記第１挟み込み部材及び第２挟み込み部材の側面を横方向に貫通する横貫通ボルトと、前記第１挟み込み部材及び前記第２挟み込み部材のいずれか一方の外側面において、前記横貫通ボルトの貫通孔に合わせるように溶接固定される横貫通ボルト用ナットと、前記第１挟み込み部材、前記第２挟み込み部材及び前記パネル押止部材を上下方向に貫通する縦貫通ボルトと、前記パネル押止部材の上位置において前記縦貫通ボルトと組み合わせて使用する縦貫通ボルト用ナットと、を有し、前記縦貫通ボルトの下端部が、前記第１挟み込み部材及び第２挟み込み部材のうち下に位置する方と、該下に位置する方の前記縦貫通ボルトの貫通孔付近において溶接固定され、前記第１挟み込み部材及び第２挟み込み部材のうち上に位置する方の前記縦貫通ボルトの貫通孔が、前記横貫通ボルトの貫通方向と同じ向きに長い角丸長方形を成し、前記第１挟み込み部材及び第２挟み込み部材の下部に形成される開口部が、前記縦貫通ボルトの貫通孔付近を支点に開閉自在であり、前記横貫通ボルト及び前記縦貫通ボルト用ナットを締め付けることによって、前記ハゼ部を挟み込んだ状態で、前記開口部が閉じられると共に、前記太陽電池パネルが前記パネル押止部材に押止され、前記ハゼ式折板屋根上に固定され、前記開口部を前記縦貫通ボルトの貫通孔付近を支点に開状態とし前記開口部に前記ハゼ部を跨がせるとき、前記横貫通ボルトの先端が前記横貫通ボルト用ナットに捻じ込まれた状態であって、前記第１挟み込み部材及び第２挟み込み部材のうち前記横貫通ボルト用ナットが固定されている方と前記横貫通ボルトとのなす角度は不変であるが、前記第１挟み込み部材及び第２挟み込み部材のうち前記横貫通ボルト用ナットが固定されていない方と前記横貫通ボルトとのなす角度は可変である状態、かつ、前記第１挟み込み部材及び第２挟み込み部材のうち前記縦貫通ボルトが固定されていない方が前記縦貫通ボルトに対し傾けられる状態、かつ、前記開口部を形成する前記第１挟み込み部材下部及び前記第２挟み込み部材下部それぞれの高さが異なる状態とすることができる程度に、前記第１挟み込み部材及び第２挟み込み部材のうち前記横貫通ボルト用ナットが固定されていない方の前記貫通孔の直径が前記横貫通ボルトの直径よりも大きく形成されていることを特徴とする。